(57)【要約】【課題】ドア枠に戸当りをスムーズに取り付けることができる取付方法及び戸当りを提供する。【解決手段】ドア枠に形成された第一溝に、戸当りを形成しドアが当たる胴部と一体をなす第一脚部が嵌め込まれ、第一溝に沿ってドア枠に形成された第二溝に、胴部と一体をなす第二脚部が嵌め込まれる。第一溝を形成する第一側面に、第一脚部に形成された第一内突部が接する。第二溝を形成する第三側面に、第二脚部に形成された第二内突部が接する。第一内突部と第二内突部の第二間隔は、第一側面と第三側面の第一間隔より狭い。戸当りは、第一内突部が第一側面に接し、第二内突部が第三側面に接した状態で、第一溝と第二溝の各底面の側に押圧される。押圧は、第一内突部と第二内突部が第一間隔となることで、第一脚部と第二脚部が第一溝を形成する第二側面と第二溝を形成する第四側面にそれぞれ接した状態で行われる。【選択図】図５
2015028262.tif 000002
【特許請求の範囲】
【請求項１】
ドアによって開閉される開口に設けられるドア枠に戸当りを取り付ける取付方法であって、
前記ドア枠に形成された第一溝に、前記戸当りを形成し前記ドアが当たる胴部と一体をなす第一脚部を嵌め込み、前記第一溝に沿って前記ドア枠に形成された第二溝に、前記第一溝と前記第二溝とが並ぶ整列方向において前記第一脚部と隣り合い前記胴部と一体をなす第二脚部を嵌め込む嵌込工程を含み、
前記嵌込工程は、
前記第一溝を形成する互いに対向した第一側面と第二側面とのうち、前記第二溝の側となる前記第一側面に、前記ドア枠に前記戸当りを取り付けた状態において前記第一脚部の前記第一側面の側となる部分に形成された第一内突部を接させる工程と、
前記第二溝を形成する互いに対向した第三側面と第四側面とのうち、前記第一溝の側となる前記第三側面に、前記ドア枠に前記戸当りを取り付けた状態において前記第二脚部の前記第三側面の側となる部分に形成され、前記整列方向における前記第一内突部との間隔が前記第一側面と前記第三側面との前記整列方向における第一間隔より狭い第二間隔となる第二内突部を接させる工程と、
前記第一内突部が前記第一側面に接し、前記第二内突部が前記第三側面に接した状態で、前記第一溝と前記第二溝の各底面の側に前記戸当りを押圧する工程と、を含み、
前記戸当りを押圧する工程は、前記第一側面に前記第一内突部を接させる工程と前記第三側面に前記第二内突部を接させる工程とに伴い、前記第一内突部と前記第二内突部とが前記第一間隔となることで、前記第一脚部と前記第二脚部との前記整列方向における最大外形寸法が前記第二側面と前記第四側面との前記整列方向における第三間隔より狭い第四間隔から前記第三間隔へとそれぞれ拡張した前記第一脚部と前記第二脚部とが前記第二側面と前記第四側面とにそれぞれ接した状態で行われる、取付方法。
【請求項２】
前記戸当りを押圧する工程は、前記ドア枠に前記戸当りを取り付けた状態において前記第一脚部の前記第二側面の側となる部分で且つ前記第一内突部より前記第一脚部の先端側に形成された第一外突部が前記第二側面に接し、前記ドア枠に前記戸当りを取り付けた状態において前記第二脚部の前記第四側面の側となる部分で且つ前記第二内突部より前記第二脚部の先端側に形成された第二外突部が前記第四側面に接した状態で行われる、請求項１に記載の取付方法。
【請求項３】
ドアによって開閉される開口に設けられるドア枠に取り付けられる戸当りであって、
前記ドア枠に前記戸当りが取り付けられた状態で、前記ドア枠の取付面から突出し、前記ドアが当たる胴部と、
前記胴部と一体をなし、前記ドア枠に形成された第一溝に嵌め込まれる第一脚部と、
前記胴部と一体をなし、前記第一溝と前記第一溝に沿って前記ドア枠に形成された第二溝とが並ぶ整列方向において前記第一脚部と隣り合い、前記第二溝に嵌め込まれる第二脚部と、を備え、
前記第一脚部は、
前記ドア枠に前記戸当りを取り付けた状態において、前記第一溝を形成する互いに対向した第一側面と第二側面とのうち、前記第二溝の側となる前記第一側面に接する第一内突部と、
前記ドア枠に前記戸当りを取り付けた状態において前記第二側面に接する第一外突部と、を備え、
前記第二脚部は、
前記ドア枠に前記戸当りを取り付けた状態において、前記第二溝を形成する互いに対向した第三側面と第四側面とのうち、前記第一溝の側となる前記第三側面に接する第二内突部と、
前記ドア枠に前記戸当りを取り付けた状態において前記第四側面に接する第二外突部と、を備え、
前記第一内突部は、前記ドア枠に前記戸当りを取り付けた状態において前記第一脚部の前記第一側面の側となる部分に形成され、
前記第一外突部は、前記ドア枠に前記戸当りを取り付けた状態において前記第一脚部の前記第二側面の側となる部分で且つ前記第一内突部より前記第一脚部の先端側に形成され、
前記第二内突部は、前記ドア枠に前記戸当りを取り付けた状態において前記第二脚部の前記第三側面の側となる部分に形成され、
前記第二外突部は、前記ドア枠に前記戸当りを取り付けた状態において前記第二脚部の前記第四側面の側となる部分で且つ前記第二内突部より前記第二脚部の先端側に形成され、
前記第一内突部と前記第二内突部との前記整列方向における第二間隔は、前記第一側面と前記第三側面との前記整列方向における第一間隔より狭く、
前記第一外突部と前記第二外突部との前記整列方向における第四間隔は、前記第二側面と前記第四側面との前記整列方向における第三間隔より狭い、戸当り。
【発明の詳細な説明】
【技術分野】
【０００１】
本発明は、ドアによって開閉される開口に設けられるドア枠に戸当りを取り付ける取付方法と、戸当りに関する。
【背景技術】
【０００２】
戸当りに関する技術が提案されている。例えば、特許文献１には、戸当り構造が開示されている。この戸当り構造では、ドアを取付ける枠体の縦桟に所定の間隔をおいて２本の嵌合溝が平行に設けられる。嵌合溝には概略コ形断面を成す戸当り部の２本の脚が嵌めて取り付けられる。両脚の両側面には凹凸部が形成される。この脚の片側面又は両側面の少なくとも凸部は、軟質樹脂にて成形される。
【先行技術文献】
【特許文献】
【０００３】
【特許文献１】特開２００８−２０２３３０号公報
【発明の概要】
【発明が解決しようとする課題】
【０００４】
ドアを閉めた場合のドア受けとして、ドア枠に戸当りを取り付ける場合がある。ドア枠には、第一溝と第二溝が形成され、戸当りには、第一脚部と第二脚部が形成される場合がある。ドア枠において、第一溝と第二溝は、所定の間隔で互いに沿った状態で形成される。戸当りにおいて、第一脚部は、第一溝に対応して形成され、第二脚部は、第二溝に対応して形成される。第一溝には第一脚部が嵌め込まれ、第二溝には第二脚部が嵌め込まれる。このような嵌め込みを伴う、ドア枠への戸当りの取り付けは、例えば、住宅等の建築現場において作業者によって行われる。そこで、発明者は、ドア枠への戸当りの取付作業を効率よく行える取付方法と、効率的な取付作業を実現可能な戸当りについて検討を行った。
【０００５】
本発明は、ドア枠に戸当りをスムーズに取り付けることができる取付方法及び戸当りを提供することを目的とする。
【課題を解決するための手段】
【０００６】
本発明の一側面は、ドアによって開閉される開口に設けられるドア枠に戸当りを取り付ける取付方法であって、前記ドア枠に形成された第一溝に、前記戸当りを形成し前記ドアが当たる胴部と一体をなす第一脚部を嵌め込み、前記第一溝に沿って前記ドア枠に形成された第二溝に、前記第一溝と前記第二溝とが並ぶ整列方向において前記第一脚部と隣り合い前記胴部と一体をなす第二脚部を嵌め込む嵌込工程を含み、前記嵌込工程は、前記第一溝を形成する互いに対向した第一側面と第二側面とのうち、前記第二溝の側となる前記第一側面に、前記ドア枠に前記戸当りを取り付けた状態において前記第一脚部の前記第一側面の側となる部分に形成された第一内突部を接させる工程と、前記第二溝を形成する互いに対向した第三側面と第四側面とのうち、前記第一溝の側となる前記第三側面に、前記ドア枠に前記戸当りを取り付けた状態において前記第二脚部の前記第三側面の側となる部分に形成され、前記整列方向における前記第一内突部との間隔が前記第一側面と前記第三側面との前記整列方向における第一間隔より狭い第二間隔となる第二内突部を接させる工程と、前記第一内突部が前記第一側面に接し、前記第二内突部が前記第三側面に接した状態で、前記第一溝と前記第二溝の各底面の側に前記戸当りを押圧する工程と、を含み、前記戸当りを押圧する工程は、前記第一側面に前記第一内突部を接させる工程と前記第三側面に前記第二内突部を接させる工程とに伴い、前記第一内突部と前記第二内突部とが前記第一間隔となることで、前記第一脚部と前記第二脚部との前記整列方向における最大外形寸法が前記第二側面と前記第四側面との前記整列方向における第三間隔より狭い第四間隔から前記第三間隔へとそれぞれ拡張した前記第一脚部と前記第二脚部とが前記第二側面と前記第四側面とにそれぞれ接した状態で行われる、取付方法である。
【０００７】
これによれば、第一脚部の第一内突部と第二脚部の第二内突部で第一溝の第一側面と第二溝の第三側面を胴部からの反力を介して挟み込み、第一溝と第二溝の各底面の側に戸当りを押圧することで、第一側面と第三側面に沿って、第一溝と第二溝に第一脚部と第二脚部をそれぞれ嵌め込むことができる。その際、第二側面と第一脚部の接触と、第四側面と第二脚部の接触により、戸当りが整列方向に傾くといったことを抑制することができる。戸当りへの押圧は、第一溝と第二溝の深さ方向に沿って第一溝と第二溝の各底面の側に行われることが望ましいが、例えば、建築現場等では必ずしもそのようにならないことも想定される。このような場合であっても、第一溝と第二溝の深さ方向に第一脚部と第二脚部を移動させ、第一溝と第二溝に第一脚部と第二脚部をそれぞれ嵌め込むことができる。第一脚部と第二脚部に力が作用しておらず第一脚部と第二脚部が未変形の状態において、第一脚部と第二脚部の整列方向における最大外径寸法を、第二側面と第四側面の第三間隔より大きくするといった構成（比較構成）が考えられる。しかし、比較構成では、第一内突部と第二内突部が第一間隔となることで、第一脚部と第二脚部の整列方向における最大外径寸法がより幅広となる。そのため、比較構成のような仕様では、第一溝と第二溝に第一脚部と第二脚部をそれぞれ嵌め込むことが困難となる場合もある。第一内突部と第二内突部が第一間隔となることで、第一脚部と第二脚部の整列方向における最大外形寸法を第二側面と第四側面の第三間隔へとそれぞれ拡張する構成によれば、前述した比較構成より押圧力を低下させることができる。
【０００８】
前記戸当りを押圧する工程は、前記ドア枠に前記戸当りを取り付けた状態において前記第一脚部の前記第二側面の側となる部分で且つ前記第一内突部より前記第一脚部の先端側に形成された第一外突部が前記第二側面に接し、前記ドア枠に前記戸当りを取り付けた状態において前記第二脚部の前記第四側面の側となる部分で且つ前記第二内突部より前記第二脚部の先端側に形成された第二外突部が前記第四側面に接した状態で行われる、ようにしてもよい。これによれば、第二側面と第一外突部の接触と、第四側面と第二外突部の接触により、戸当りが整列方向に傾くといったことを抑制することができる。
【０００９】
本発明の他の側面は、ドアによって開閉される開口に設けられるドア枠に取り付けられる戸当りであって、前記ドア枠に前記戸当りが取り付けられた状態で、前記ドア枠の取付面から突出し、前記ドアが当たる胴部と、前記胴部と一体をなし、前記ドア枠に形成された第一溝に嵌め込まれる第一脚部と、前記胴部と一体をなし、前記第一溝と前記第一溝に沿って前記ドア枠に形成された第二溝とが並ぶ整列方向において前記第一脚部と隣り合い、前記第二溝に嵌め込まれる第二脚部と、を備え、前記第一脚部は、前記ドア枠に前記戸当りを取り付けた状態において、前記第一溝を形成する互いに対向した第一側面と第二側面とのうち、前記第二溝の側となる前記第一側面に接する第一内突部と、前記ドア枠に前記戸当りを取り付けた状態において前記第二側面に接する第一外突部と、を備え、前記第二脚部は、前記ドア枠に前記戸当りを取り付けた状態において、前記第二溝を形成する互いに対向した第三側面と第四側面とのうち、前記第一溝の側となる前記第三側面に接する第二内突部と、前記ドア枠に前記戸当りを取り付けた状態において前記第四側面に接する第二外突部と、を備え、前記第一内突部は、前記ドア枠に前記戸当りを取り付けた状態において前記第一脚部の前記第一側面の側となる部分に形成され、前記第一外突部は、前記ドア枠に前記戸当りを取り付けた状態において前記第一脚部の前記第二側面の側となる部分で且つ前記第一内突部より前記第一脚部の先端側に形成され、前記第二内突部は、前記ドア枠に前記戸当りを取り付けた状態において前記第二脚部の前記第三側面の側となる部分に形成され、前記第二外突部は、前記ドア枠に前記戸当りを取り付けた状態において前記第二脚部の前記第四側面の側となる部分で且つ前記第二内突部より前記第二脚部の先端側に形成され、前記第一内突部と前記第二内突部との前記整列方向における第二間隔は、前記第一側面と前記第三側面との前記整列方向における第一間隔より狭く、前記第一外突部と前記第二外突部との前記整列方向における第四間隔は、前記第二側面と前記第四側面との前記整列方向における第三間隔より狭い、戸当りである。
【００１０】
これによれば、ドア枠への戸当りの取り付けを好適に行うことができる。即ち、第一脚部の第一内突部と第二脚部の第二内突部で第一溝の第一側面と第二溝の第三側面を胴部からの反力を介して挟み込み、第一溝と第二溝の各底面の側に戸当りを押圧することで、第一側面と第二側面に沿って、第一溝と第二溝に第一脚部と第二脚部をそれぞれ嵌め込むことができる。その際、取り付けのための押圧力の方向が第一溝と第二溝の深さ方向に一致していない場合であっても、戸当りが整列方向に傾くといったことを抑制することができる。
【発明の効果】
【００１１】
本発明によれば、ドア枠に戸当りをスムーズに取り付けることができる取付方法及び戸当りを得ることができる。
【図面の簡単な説明】
【００１２】
【図１】開き戸装置の概略構成の一例を一部を省略して示す斜視図である。
【図２】ドア枠の概略構成の一例を示す斜視図である。
【図３】戸当りの概略構成の一例を一部を省略して示す斜視図である。
【図４】取付方法における嵌込工程の第一段階を示す平面図である。（Ａ）は、第一手法に基づいた例を示す。（Ｂ）は、第二手法に基づいた例を示す。
【図５】取付方法における嵌込工程の第一段階に続けて行われる第二段階の一例を示す平面図である。上段は、第一側面に第一内突部を接させる工程と第三側面に第二内突部を接させる工程が終了した状態を示す。下段は、戸当りを押圧する工程（取付方法）が終了した状態を示す。
【図６】（Ａ）は、戸当りの概略構成の他の例を示す平面図である。（Ｂ）は、戸当りの概略構成の更に他の例を示す平面図である。
【発明を実施するための形態】
【００１３】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１４】
＜開き戸装置＞
開き戸装置１０について、図１〜図３を参照して説明する。開き戸装置１０は、建物等の開口に設けられ、ドア１１の開閉により、開口を開放状態及び閉鎖状態とする。開き戸装置１０は、ドア１１と、ドア枠２０と、戸当り３０を備える。ドア１１は、図１に示すドア枠２０に対向して設けられるドア枠（不図示）に、蝶番（不図示）を介して開閉自在（図１で「開閉方向」と記載された矢印参照）に取り付けられる。ドア１１及びこれを取り付ける構造等は、公知の開き戸装置が備えるドアと同様である。そのため、ドア１１に関するこの他の説明は、省略する。
【００１５】
ドア枠２０は、建物等の開口に沿って設けられる。ドア枠２０は、例えば、木材又は木質材料によって形成される。本実施形態では、ドア１１を回動させる蝶番が取り付けられるドア枠に対向して設けられるドア枠２０を例に説明する。ドア枠２０には、図１に示すように、第一溝２１と第二溝２５が隣り合った状態で並んで形成される。第一溝２１と第二溝２５は共に、図２に示すように、ドア枠２０の長手方向に形成される。図１に示す例に基づけば、ドア枠２０の長手方向は、鉛直方向となる。ドア枠２０において第二溝２５は、第一溝２１に沿って形成される。
【００１６】
本実施形態では、第一溝２１と第二溝２５が並ぶ方向を「整列方向」という（図１及び図２参照）。整列方向は、ドア枠２０の長手方向に直交する。ドア枠２０に形成された２本の溝のうち、整列方向のドア側の溝を「第一溝２１」とし、整列方向の反ドア側の溝を「第二溝２５」とする。第一溝２１を形成する互いに対向した２個の側面のうち、第二溝２５の側となる側面を「第一側面２２」といい、他方の側面を「第二側面２３」という（図２参照）。第二溝２５を形成する互いに対向した２個の側面のうち、第一溝２１の側となる側面を「第三側面２６」といい、他方の側面を「第四側面２７」という（図２参照）。
【００１７】
第一側面２２と第二側面２３と第三側面２６と第四側面２７は、互いに平行な面である。平行な第一溝２１と第二溝２５において、第一側面２２と第三側面２６の整列方向における間隔は、第一間隔Ｗ１に設定され、第二側面２３と第四側面２７の整列方向における間隔は、第三間隔Ｗ３に設定される（図２参照）。第一溝２１の幅及び深さは、幅Ｗ５及び深さＤに設定され、第二溝２５の幅及び深さは、幅Ｗ５及び深さＤに設定される（図２参照）。第一溝２１と第二溝２５は、同一形状の溝である。第一溝２１と第二溝２５の深さ方向（図１及び図２参照）は、一致する。
【００１８】
戸当り３０は、図１に示すように、ドア枠２０に取り付けられる。ドア枠２０に戸当り３０を取り付けることで、開き戸装置１０では、ドア枠２０と戸当り３０による戸当り構造が実現される。戸当り３０は、ドア１１を閉めた場合のドア受けとして機能し、ドア１１が閉められた場合におけるドア１１とドア枠２０の隙間の発生を抑制する。戸当り３０は、図１及び図３に示すように、胴部３１と、第一脚部４１と、第二脚部４４を備える。戸当り３０は、胴部３１と第一脚部４１と第二脚部４４が一体をなして長尺状に形成される。戸当り３０は、例えば、樹脂の押出成形により形成される。戸当り３０を形成する樹脂としては、例えば、ポリ塩化ビニル又はＡＢＳ樹脂といった合成樹脂が挙げられる。
【００１９】
胴部３１は、戸当り３０がドア枠２０に取り付けられた図１に示す状態（以下、「取付状態」という）において、取付面Ｓから深さ方向の突出側に突出する（図１参照）。ドア１１が閉められた場合、ドア１１は、整列方向のドア側で胴部３１に当たる。胴部３１は、図３に示すように、第一側壁部３２と、第二側壁部３３と、連結壁部３４と、第一基部３５と、第二基部３６によって形成される。第一側壁部３２は、整列方向のドア側に設けられる壁部である。第二側壁部３３は、整列方向の反ドア側に設けられる壁部である。第一側壁部３２と第二側壁部３３は、整列方向に対向する。連結壁部３４は、整列方向に沿って設けられ、第一側壁部３２の第一端部と第二側壁部３３の第一端部を連結する壁部である。胴部３１において、第一側壁部３２と連結壁部３４と第二側壁部３３は、胴部３１を平面視した状態でコの字状に配置される。
【００２０】
第一基部３５は、第一側壁部３２の第二端部に繋がり、整列方向を基準線（中心線）Ｌの側に延在して設けられる。第一側壁部３２の第二端部は、連結壁部３４に繋がる第一側壁部３２の第一端部とは反対側の端部である。第二基部３６は、第二側壁部３３の第二端部に繋がり、整列方向を基準線Ｌの側に延在して設けられる。第二側壁部３３の第二端部は、連結壁部３４に繋がる第二側壁部３３の第一端部とは反対側の端部である。胴部３１は、取付状態において、整列方向のドア側となる第一基部３５の部分で第一溝２１の溝縁領域Ｒ６に接し、整列方向の反ドア側となる第二基部３６の部分で第二溝２５の溝縁領域Ｒ７に接する（後述する図５参照）。溝縁領域Ｒ６は、ドア枠２０の取付面Ｓのうち、第二側面２３の側における第一溝２１の縁部である。溝縁領域Ｒ７は、ドア枠２０の取付面Ｓのうち、第四側面２７の側における第二溝２５の縁部である。
【００２１】
樹脂の押出成形により形成される戸当り３０では、第一側壁部３２と第二側壁部３３の整列方向における間隔は、第一端部から第二端部の側となるに従い狭くなる場合もある。これは、第一基部３５と第二基部３６の間が開口し、第一側壁部３２の第二端部と第二側壁部３３の第二端部が非連続の状態となっているためである。
【００２２】
第一脚部４１は、整列方向のドア側で第一基部３５から延びる戸当り３０の脚部である（図１及び図３参照）。第一脚部４１は、第一溝２１に嵌め込まれる。取付状態を基準としたとき、第一脚部４１が第一基部３５から延びる方向は、深さ方向に対応する。第一脚部４１の深さ方向の寸法は、長さＭに設定される（図３参照）。第一脚部４１の深さ方向の寸法は、第一基部３５から第一脚部４１の先端までの寸法である。長さＭと第一溝２１の深さＤは、「長さＭ＜深さＤ」の関係に設定される。
【００２３】
第一脚部４１は、図３に示すように、第一内突部４２と、第一外突部４３を備える。第一内突部４２は、取付状態において第一脚部４１の第一側面２２の側となる部分に形成される。第一外突部４３は、取付状態において第一脚部４１の第二側面２３の側となる部分に形成される。第一脚部４１において、第一外突部４３は、第一内突部４２より第一脚部４１の先端側に形成される。換言すれば、第一内突部４２は、第一外突部４３より第一脚部４１の後端側となる第一基部３５の側に形成される。取付状態では、第一脚部４１の先端は、所定の隙間Ｇ（後述する図５下段参照  隙間Ｇ＝深さＤ−長さＭ）を隔てて第一底面２４に対向する。
【００２４】
第二脚部４４は、整列方向の反ドア側で第二基部３６から延びる戸当り３０の脚部である（図１及び図３参照）。第二脚部４４は、整列方向において第一脚部４１と隣り合った状態で設けられ、第二溝２５に嵌め込まれる。取付状態を基準としたとき、第二脚部４４が第二基部３６から延びる方向は、深さ方向に対応する。第二脚部４４の深さ方向の寸法は、長さＭに設定される（図３参照）。第二脚部４４の深さ方向の寸法は、第二基部３６から第二脚部４４の先端までの寸法である。長さＭと第二溝２５の深さＤは、「長さＭ＜深さＤ」の関係に設定される。
【００２５】
第二脚部４４は、図３に示すように、第二内突部４５と、第二外突部４６を備える。第二内突部４５は、取付状態において第二脚部４４の第三側面２６の側となる部分に形成される。第二外突部４６は、取付状態において第二脚部４４の第四側面２７の側となる部分に形成される。第二脚部４４において、第二外突部４６は、第二内突部４５より第二脚部４４の先端側に形成される。換言すれば、第二内突部４５は、第二外突部４６より第二脚部４４の後端側となる第二基部３６の側に形成される。取付状態では、第二脚部４４の先端は、所定の隙間Ｇ（後述する図５下段参照  隙間Ｇ＝深さＤ−長さＭ）を隔てて第二底面２８に対向する。
【００２６】
本実施形態では、第一脚部４１と第二脚部４４は、基準線Ｌを基準として線対称の形状を有する（図３参照）。
【００２７】
図３に示す状態の戸当り３０において、第一内突部４２と第二内突部４５の整列方向における間隔は、第二間隔Ｗ２に設定される。図３に示す戸当り３０は、第一脚部４１が第一溝２１に嵌め込まれておらず、第二脚部４４が第二溝２５に嵌め込まれていない状態である。このような戸当り３０では、第一脚部４１と第二脚部４４に力が作用しておらず、第一脚部４１と第二脚部４４は、未変形の状態となる。第二間隔Ｗ２は、第一側面２２と第三側面２６の整列方向における第一間隔Ｗ１より狭い。図３に示す状態の戸当り３０において、第一外突部４３と第二外突部４６の整列方向における間隔は、第四間隔Ｗ４に設定される。第四間隔Ｗ４は、第二側面２３と第四側面２７の整列方向における第三間隔Ｗ３より狭い。
【００２８】
＜取付方法＞
ドア枠２０への戸当り３０の取り付けに関する取付方法について、図４及び図５を参照して説明する。取付方法は、例えば、建築現場等で作業者によって行われる。本実施形態は、作業者によって行われる場合を例に説明する。
【００２９】
取付方法は、嵌込工程を含む。嵌込工程は、第一脚部４１を第一溝２１に嵌め込み、第二脚部４４を第二溝２５に嵌め込む工程である。嵌込工程は、第一側面２２に第一内突部４２を接させる工程と、第三側面２６に第二内突部４５を接させる工程と、これら２工程が行われた後、戸当り３０を押圧する工程を含む。取付方法における嵌込工程において、第一側面２２に第一内突部４２を接させる工程と、第三側面２６に第二内突部４５を接させる工程は、同じタイミング又は順次行われる。以下では、第一側面２２に第一内突部４２を接させる工程と第三側面２６に第二内突部４５を接させる工程について、２つの手法を例に説明する。戸当り３０を押圧する工程は、第一手法又は第二手法の何れの場合であっても、同様に行われる。取付方法は、戸当り３０を押圧する工程の終了に伴い終了する。
【００３０】
第一手法について、図４（Ａ）及び図５上段を参照して説明する。第一手法では、第一側面２２に第一内突部４２を接させる工程と第三側面２６に第二内突部４５を接させる工程は、同じタイミングで行われる。第一手法において作業者は、第一溝２１に第一脚部４１を挿入し、第二溝２５に第二脚部４４を挿入する。そして、作業者は、戸当り３０をドア枠２０に対して図４（Ａ）に示す状態とする。第一脚部４１と第二脚部４４は、深さ方向に沿って第一溝２１と第二溝２５にそれぞれ挿入される。図４（Ａ）に示す状態は、戸当り３０が、第一脚部４１と第二脚部４４の内側の間隔が第一間隔Ｗ１となる位置で、ドア枠２０に接している状態である。第一脚部４１と第二脚部４４の内側の間隔は、第一内突部４２と第二内突部４５がそれぞれ形成された側における第一脚部４１と第二脚部４４の整列方向における間隔であって、最小間隔は、第二間隔Ｗ２となる。第一脚部４１と第二脚部４４の内側の間隔は、深さ方向の突出側から底側に向けて漸次狭くなる。
【００３１】
ドア枠２０と戸当り３０の関係が図４（Ａ）の状態となった後、作業者は、戸当り３０を第一底面２４と第二底面２８の側に押圧する（図４（Ａ）で「押圧」と記載された矢印参照）。戸当り３０は、深さ方向の底側に移動する。その際、第一内突部４２と第二内突部４５の間隔は、第二間隔Ｗ２から漸次増加する。第一内突部４２と第二内突部４５は、取付面Ｓと第一側面２２が接する境界位置に到達する。戸当り３０は、第一内突部４２が第一側面２２に接し、第二内突部４５が第三側面２６に接し、第一内突部４２と第二内突部４５が第一間隔Ｗ１となった状態となる（図５上段参照）。これに伴い、第一側面２２に第一内突部４２を接させる工程と第三側面２６に第二内突部４５を接させる工程は、終了する。
【００３２】
第二手法について、図４（Ｂ）及び図５上段を参照して説明する。第二手法では、第一側面２２に第一内突部４２を接させる工程を行った後、第三側面２６に第二内突部４５を接させる工程が行われる。第二手法において作業者は、第一溝２１に第一脚部４１を挿入し、第二溝２５に第二脚部４４を挿入する。作業者は、図４（Ｂ）に示すように、取付面Ｓに対して戸当り３０を第二側面２３の側に傾け、第一側面２２に第一内突部４２を接させる。これに伴い、第一側面２２に第一内突部４２を接させる工程は、終了する。
【００３３】
続けて、作業者は、取付面Ｓに対して傾いた状態の戸当り３０が第一内突部４２と第一側面２２が接している位置を支点として回動するように、戸当り３０を押圧する（図４（Ｂ）に示す「押圧」と記載された円弧状の矢印参照）。この押圧力が戸当り３０に作用すると、戸当り３０は回動し、第一内突部４２と第二内突部４５の間隔は、第二間隔Ｗ２から漸次増加する。そして、第二内突部４５が取付面Ｓと第三側面２６が接する境界位置に到達する。戸当り３０は、第一内突部４２が第一側面２２に接し、第二内突部４５が第三側面２６に接し、第一内突部４２と第二内突部４５が第一間隔Ｗ１となった状態となる（図５上段参照）。これに伴い、第三側面２６に第二内突部４５を接させる工程は、終了する。
【００３４】
第一側面２２に第一内突部４２を接させる工程と第三側面２６に第二内突部４５を接させる工程に伴い、第一内突部４２と第二内突部４５が第一間隔Ｗ１となることで、第一脚部４１は第二側面２３の側に変形し、第一外突部４３は第二側面２３に接する。同様に、第一内突部４２と第二内突部４５が第一間隔Ｗ１となることで、第二脚部４４は第四側面２７の側に変形し、第二外突部４６は第四側面２７に接する。即ち、第一側面２２に第一内突部４２を接させる工程と第三側面２６に第二内突部４５を接させる工程の終了に伴い、戸当り３０における第一脚部４１と第二脚部４４の整列方向における最大外径寸法は、第四間隔Ｗ４から第三間隔Ｗ３に拡張する（図５上段参照）。
【００３５】
作業者は、戸当り３０がドア枠２０に対して図５上段に示す状態となった後、戸当り３０を第一底面２４と第二底面２８の側に押圧する（図５上段で「押圧」と記載された矢印参照）。この押圧の開始に伴い、取付方法における嵌込工程は、戸当り３０を押圧する工程に移行し、戸当り３０は、深さ方向の底側に移動する。この移動は、第一内突部４２が第一側面２２に接し、第一外突部４３が第二側面２３に接し、第二内突部４５が第三側面２６に接し、第二外突部４６が第四側面２７に接した状態で行われる。押圧は、第一基部３５と第二基部３６が取付面Ｓ（溝縁領域Ｒ６，Ｒ７）に接するまで継続され、図５下段に示すように、ドア枠２０と戸当り３０が取付状態となったタイミングで押圧を終了する。これに伴い、戸当り３０を押圧する工程は、終了する。取付状態では、第一基部３５と第二基部３６は、取付面Ｓに接する。第一脚部４１の先端と第一溝２１の第一底面２４の間には、所定の隙間Ｇが生じる。第二脚部４４の先端と第二溝２５の第二底面２８の間にも、第一脚部４１の側と同じ所定の隙間Ｇが生じる。
【００３６】
第二側面２３と第四側面２７がない状態で第一内突部４２と第二内突部４５が第一間隔Ｗ１となったと仮定した場合、第一脚部４１と第二脚部４４の整列方向における最大外径寸法が第三間隔Ｗ３より幅広となる寸法に設定されているとする。このように設定された第一脚部４１と第二脚部４４によれば、整列方向における最大外径寸法の拡張（第四間隔Ｗ４から第三間隔Ｗ３）に伴い、第一脚部４１には第二側面２３からの反力が作用し、第二脚部４４には第四側面２７からの反力が作用する。反力が作用しない構成と比較し、ドア枠２０への戸当り３０の取付強度を向上させることができる。
【００３７】
＜本実施形態の効果＞
本実施形態によれば、次のような効果を得ることができる。
【００３８】
（１）第一脚部４１の第一内突部４２と第二脚部４４の第二内突部４５で第一溝２１の第一側面２２と第二溝２５の第三側面２６を挟み込み、深さ方向に戸当り３０を押圧し、ドア枠２０に戸当り３０を取り付けることとした（図５参照）。そのため、第一側面２２と第三側面２６に沿って、第一溝２１と第二溝２５に第一脚部４１と第二脚部４４をそれぞれ嵌め込むことができる。第一内突部４２と第二内突部４５による第一側面２２と第三側面２６の挟み込みを、第一内突部４２と第二内突部４５が第一間隔Ｗ１となることで弾性変形する胴部３１からの反力を利用して好適に行うことができる。
【００３９】
（２）第一内突部４２と第二内突部４５で第一側面２２と第三側面２６を挟み込み、第一内突部４２と第二内突部４５を第一間隔Ｗ１とすることで、戸当り３０における第一脚部４１と第二脚部４４の整列方向における最大外径寸法を、第四間隔Ｗ４から第三間隔Ｗ３に拡張させ、第一脚部４１の第一外突部４３を第一溝２１の第二側面２３に接させ、第二脚部４４の第二外突部４６を第二溝２５の第四側面２７に接させることとした（図５上段参照）。第二側面２３と第一外突部４３の接触と、第四側面２７と第二外突部４６の接触により、戸当り３０を押圧する工程の実行途中に、戸当り３０が整列方向に傾くといったことを抑制することができる。戸当り３０を押圧する工程における戸当り３０への押圧は、深さ方向に沿って第一底面２４と第二底面２８の側に行われることが望ましいが、例えば、建築現場等では必ずしもそのようにならないことも想定される。このような場合であっても、深さ方向に第一脚部４１と第二脚部４４を移動させ、第一溝２１と第二溝２５に第一脚部４１と第二脚部４４をそれぞれ嵌め込むことができる。
【００４０】
第一脚部４１と第二脚部４４に力が作用しておらず第一脚部４１と第二脚部４４が未変形の状態（図３参照）において、第一脚部４１と第二脚部４４の整列方向における最大外径寸法を、第二側面２３と第四側面２７の第三間隔Ｗ３より大きくするといった構成（比較構成）が考えられる。しかし、比較構成では、第一内突部４２と第二内突部４５が第一間隔Ｗ１となることで、第一脚部４１と第二脚部４４の整列方向における最大外径寸法がより幅広となる。そのため、比較構成のような仕様では、第一溝２１と第二溝２５に第一脚部４１と第二脚部４４をそれぞれ嵌め込むことが困難となる場合もある。第一内突部４２と第二内突部４５が第一間隔Ｗ１となることで、第一脚部４１と第二脚部４４の整列方向における最大外形寸法を第二側面２３と第四側面２７の第三間隔Ｗ３へとそれぞれ拡張する構成によれば、前述した比較構成より押圧力を低下させることができる。本実施形態では、ドア枠２０に戸当り３０をスムーズに取り付けることができる。
【００４１】
＜変形例＞
本実施形態は、次のようにすることもできる。以下の構成によっても、上記同様の取り付けを実現することができる。
【００４２】
（１）上記では、ドア枠２０において、整列方向のドア側に形成された溝を「第一溝２１」とし、整列方向の反ドア側に形成された溝を「第二溝２５」とした。そして、取付状態を基準として、整列方向のドア側で、第一側壁部３２と繋がった第一基部３５から延びる戸当り３０の脚部を「第一脚部４１」とし、整列方向の反ドア側で、第二側壁部３３と繋がった第二基部３６から延びる戸当り３０の脚部を「第二脚部４４」とした。
【００４３】
本実施形態は、整列方向における「ドア側」と「反ドア側」を上記とは反対とした場合についても、上記同様、採用することができる。この場合、ドア枠における２本の溝のうち、整列方向の反ドア側に形成された溝が「第一溝」となり、整列方向のドア側に形成された溝が「第二溝」となる。第一溝の第一側面及び第二側面と、第二溝の第三側面及び第四側面は、上記同様に定義される。即ち、第一溝を形成する互いに対向した２個の側面のうち、第二溝の側となる側面が「第一側面」となり、他方の側面が「第二側面」となる。第二溝を形成する互いに対向した２個の側面のうち、第一溝の側となる側面が「第三側面」となり、他方の側面が「第四側面」となる。戸当りの胴部を形成する２個の側壁部のうち、整列方向の反ドア側に設けられる壁部が「第一側壁部」となり、整列方向のドア側に設けられる壁部が「第二側壁部」となる。戸当りに形成される２本の脚部のうち、整列方向の反ドア側で第一基部から延びる戸当りの脚部が「第一脚部」となり、整列方向のドア側で第二基部から延びる戸当りの脚部が「第二脚部」となる。第一脚部は、上記同様、第一内突部と、第一外突部を備える。第二脚部は、上記同様、第二内突部と、第二外突部を備える。各部の寸法及び各部間の間隔等は、上記同様に設定される。取付方法も、上述したように行われる。整列方向の「ドア側」と「反ドア側」を上記とは反対とした場合におけるこの他の説明は、省略する。
【００４４】
（２）上記では、図３に示す形状をした第一脚部４１と第二脚部４４を例に説明した。第一脚部と第二脚部は、第一脚部と第二脚部に関し次に示すような上述した各条件等が満足され、上記同様の取付状態を実現することができる構成であれば、図３とは異なる形状であってもよい。即ち、第一脚部は、第一内突部と、これより先端側に形成された第一外突部を備える。第二脚部は、第二内突部と、これより先端側に形成された第二外突部を備える。第一内突部と第二内突部の間では「第二間隔Ｗ２＜第一間隔Ｗ１」が満たされる。第一外突部と第二外突部の間では「第四間隔Ｗ４＜第三間隔Ｗ３」が満たされる。
【００４５】
例えば、図６（Ａ）に示す形状の第一脚部４１と第二脚部４４を備える戸当り３０であってもよい。図６（Ａ）では、図３の戸当り３０との対応を明らかにするため、共通する各部に対して図３で用いた符号をそのまま付している（後述する図６（Ｂ）において同じ）。図６（Ａ）に示す戸当り３０では、第一外突部４３は、第一脚部４１の先端部分に設けられ、第一脚部４１の先端を形成する。第一外突部４３は、取付状態において第二側面２３の側に向かい、第二側面２３に接する。第二外突部４６は、第二脚部４４の先端部分に設けられ、第二脚部４４の先端を形成する。第二外突部４６は、取付状態において第四側面２７の側に向かい、第四側面２７に接する。この他の点については、図３に示す戸当り３０と同様であるため、説明を省略する。
【００４６】
（３）第一脚部４１において第一外突部４３を省略し、第二脚部４４において第二外突部４６を省略した戸当り３０とするようにしてもよい（図６（Ｂ）参照）。この場合、第一脚部４１は、先端部分で第二側面２３に接し、第二脚部４４は、先端部分で第四側面２７に接する。第一脚部４１と第二脚部４４はそれぞれの先端部分における最大外形寸法が、上記同様、第四間隔Ｗ４に設定される。この他の点については、図３等に示す戸当り３０と同様であるため、説明を省略する。
【００４７】
（４）第一内突部は、第一側面２２に接する部分が円弧状に形成された突部としてもよい。第一外突部は、第二側面２３に接する部分が円弧状に形成された突部としてもよい。第二内突部は、第三側面２６に接する部分が円弧状に形成された突部としてもよい。第二外突部は、第四側面２７に接する部分が円弧状に形成された突部としてもよい。
【００４８】
（５）開き戸装置１０において、戸当り３０は、図１に示すドア枠２０とは異なる位置に設けられるドア枠に取り付けるようにしてもよい。図１に示すドア枠２０と蝶番を介してドア１１が取り付けられるドア枠の上側で、例えば、水平歩行に設けられ、これらドア枠を繋ぐドア枠（不図示）に取り付けるようにしてもよい。更に、蝶番を介してドア１１が取り付けられるドア枠に取り付けるようにしてもよい。各所のドア枠は、上記のドア枠２０と同様に構成される。各所のドア枠に対する戸当り３０の取り付けは、上記同様に行われる。そのため、これに関する説明は、省略する。
【００４９】
（６）戸当り３０は、ドア１１が当たる胴部３１の側壁部（整列方向のドア側の側壁部  図３に基づけば、第一側壁部３２）に緩衝片を設けるようにしてもよい。緩衝片は、ゴム又は軟質樹脂（例えば、軟質ポリ塩化ビニル樹脂又はエラストマー）等により形成される。胴部３１は、緩衝片を介してドア１１に当たる。緩衝片によれば、ドア１１との衝突を和らげることができる。緩衝片は、公知の戸当りにおいても採用されている構成である。そのため、緩衝片に関するこの他の説明は、省略する。
【００５０】
（７）ドア枠２０への戸当り３０の取り付けに、接着剤等を用いるようにしてもよい。接着剤は、第一溝２１と第二溝２５に充填される。第一脚部４１と第二脚部４４は、接着剤が充填された第一溝２１と第二溝２５にそれぞれ嵌め込まれる。この場合、取付方法は、充填工程を含む。充填工程は、例えば、嵌込工程に先立ち行われる。
【符号の説明】
【００５１】
１０  開き戸装置
１１  ドア
２０  ドア枠
２１  第一溝
２２  第一側面
２３  第二側面
２４  第一底面
２５  第二溝
２６  第三側面
２７  第四側面
２８  第二底面
３０  戸当り
３１  胴部
３２  第一側壁部
３３  第二側壁部
３４  連結壁部
３５  第一基部
３６  第二基部
４１  第一脚部
４２  第一内突部
４３  第一外突部
４４  第二脚部
４５  第二内突部
４６  第二外突部
Ｄ  深さ
Ｇ  隙間
Ｌ  基準線
Ｍ  長さ
Ｒ６，Ｒ７  溝縁領域
Ｓ  取付面
Ｗ１  第一間隔
Ｗ２  第二間隔
Ｗ３  第三間隔
Ｗ４  第四間隔
Ｗ５  幅
【図１】
2015028262.tif 000003
【図２】
2015028262.tif 000004
【図３】
2015028262.tif 000005
【図４】
2015028262.tif 000006
【図５】
2015028262.tif 000007
【図６】
2015028262.tif 000008